(57)【特許請求の範囲】
【請求項１】
パーキングブレーキと、
このパーキングブレーキが作動状態となったときＯＦＦとなり、パーキングブレーキが非作動状態となったときＯＮとなるパーキングブレーキスイッチと、
電動でセット状態と格納状態とを取り得る電動格納ミラーと、
この電動格納ミラーをセット状態または格納状態にするために操作者によって操作され、電動格納ミラーをセット状態とするためのセット信号、または電動格納ミラーを格納状態とするためのクローズ信号を送出し得る電動格納ミラースイッチと、
この電動格納ミラースイッチからセット信号を受信したとき前記電動格納ミラーをセット状態に作動させ、電動格納ミラースイッチからクローズ信号を受信したとき前記電動格納ミラーを格納状態に作動させる電動格納ミラーコントロールユニットと、
を備える大型車両に取り付け可能な格納ミラー自動開閉装置であって、
前記パーキングブレーキスイッチがＯＦＦとなったとき、そのＯＦＦ信号に基づいて作動し、前記電動格納ミラースイッチに代わって前記電動格納ミラーコントロールユニットに対し電動格納ミラーを格納状態とするためのクローズ信号を送出し、
前記パーキングブレーキスイッチがＯＮとなったとき、そのＯＮ信号に基づいて作動し、前記電動格納ミラースイッチに代わって前記電動格納ミラーコントロールユニットに対し電動格納ミラーをセット状態とするためのセット信号を送出し、
前記パーキングブレーキスイッチのＯＮ／ＯＦＦ信号の入力部が、前記パーキングブレーキスイッチとパーキングブレーキ警告灯との間に接続される入力端子で構成されることを特徴とする格納ミラー自動開閉装置。
【発明の詳細な説明】
【技術分野】
【０００１】
本発明は、格納ミラー自動開閉装置に関するものである。
【背景技術】
【０００２】
従来、例えば特許文献１に見られるように、操作者（通常、運転者）が電動格納ミラースイッチを操作することにより、電動で、セット状態（通常の展開状態）と格納状態とを取り得る電動格納ミラー(一般にはドアミラー)が知られている。
このような電動格納ミラーは、通常、運転者によるスイッチ操作により、駐車時には、格納状態とされ、走行時にはセット状態とされる。
【先行技術文献】
【特許文献】
【０００３】
【特許文献１】特開2013-107429号公報
【発明の概要】
【発明が解決しようとする課題】
【０００４】
上述した従来の電動格納ミラーは、運転者のスイッチ操作によって作動するから、運転者の操作忘れによって、適切なセット状態または格納状態が得られないことがある。特に、駐車時等に格納状態とすることを忘れると、隣接車両に迷惑をかけるおそれがある。
本発明が解決しようとする課題は、運転者が操作忘れをしたとしても、電動格納ミラーの適切なセット状態および格納状態を得ることができる格納ミラー自動開閉装置を提供することである。
【課題を解決するための手段】
【０００５】
上記課題を解決するために本発明の格納ミラー自動開閉装置は、
パーキングブレーキと、
このパーキングブレーキが作動状態となったときＯＦＦとなり、パーキングブレーキが非作動状態となったときＯＮとなるパーキングブレーキスイッチと、
電動でセット状態と格納状態とを取り得る電動格納ミラーと、
この電動格納ミラーをセット状態または格納状態にするために操作者によって操作され、電動格納ミラーをセット状態とするためのセット信号、または電動格納ミラーを格納状態とするためのクローズ信号を送出し得る電動格納ミラースイッチと、
この電動格納ミラースイッチからセット信号を受信したとき前記電動格納ミラーをセット状態に作動させ、電動格納ミラースイッチからクローズ信号を受信したとき前記電動格納ミラーを格納状態に作動させる電動格納ミラーコントロールユニットと、
を備える大型車両に取り付け可能な格納ミラー自動開閉装置であって、
前記パーキングブレーキスイッチがＯＦＦとなったとき、そのＯＦＦ信号に基づいて作動し、前記電動格納ミラースイッチに代わって前記電動格納ミラーコントロールユニットに対し電動格納ミラーを格納状態とするためのクローズ信号を送出し、
前記パーキングブレーキスイッチがＯＮとなったとき、そのＯＮ信号に基づいて作動し、前記電動格納ミラースイッチに代わって前記電動格納ミラーコントロールユニットに対し電動格納ミラーをセット状態とするためのセット信号を送出し、
前記パーキングブレーキスイッチのＯＮ／ＯＦＦ信号の入力部が、前記パーキングブレーキスイッチとパーキングブレーキ警告灯との間に接続される入力端子で構成されることを特徴とする。
【０００６】
この格納ミラー自動開閉装置は通常次のように作動する。
運転者により、パーキングブレーキ(サイドブレーキ)が引かれて作動状態（制動状態）となり、パーキングブレーキスイッチがＯＦＦになると、そのＯＦＦ信号に基づき、電動格納ミラーを格納状態とするためのクローズ信号を電動格納ミラースイッチに代わって電動格納ミラーコントロールユニットに対して送出する。
これによって、運転者が電動格納ミラースイッチの操作を忘れたとしても、電動格納ミラーは格納状態となる。
一方、運転者により、パーキングブレーキが押されて非作動状態（非制動状態）となり、パーキングブレーキスイッチがＯＮになると、そのＯＮ信号に基づき、電動格納ミラーをセット状態とするためのセット信号を電動格納ミラースイッチに代わって電動格納ミラーコントロールユニットに対して送出する。
これによって、運転者が電動格納ミラースイッチの操作を忘れたとしても、電動格納ミラーはセット状態となる。
以上のように、本発明の格納ミラー自動開閉装置によれば、運転者が操作忘れをしたとしても、電動格納ミラーの適切なセット状態および格納状態を得ることが可能となる。
しかも、仮にパーキングブレーキをかけ忘れた場合には、電動格納ミラーがセット状態（通常運転時の展開状態）となっていることから、これを目視することによって、パーキングブレーキのかけ忘れを車両から離れたところからでも確認することができる。
また、特に、トラック等の大型車両の場合、駐車時、ドアの施錠はしなくてもパーキングブレーキを引いていることが一般的である。
この発明によると、電動格納ミラーを目視することによって、パーキングブレーキのかけ忘れを車両から離れたところからでも確認することができるから、この発明は、トラック等の大型車両に採用した場合、特に有効である。
【図面の簡単な説明】
【０００７】
【図１】本発明に係る格納ミラー自動開閉装置の実施の形態の構成例を示す基本回路図(ブロック図)。
【図２】具体的回路例を示す図。
【図３】タイミングチャート。
【発明を実施するための形態】
【０００８】
以下、本発明に係る格納ミラー自動開閉装置の実施の形態について図面を参照して説明する。なお、各図において、同一部分ないし相当する部分には、同一の符号を付してある。
【０００９】
図１，図２に示すように、この実施の形態の格納ミラー自動開閉装置２０は、
パーキングブレーキ（図示せず）と、
パーキングブレーキが作動状態（通常、引かれた状態）となったときＯＦＦとなり、パーキングブレーキが非作動状態（通常、押し戻された状態）となったときＯＮとなるパーキングブレーキスイッチ１１と、
電動でセット状態と格納状態とを取り得る電動格納ミラー(ドアミラー)１２と、
この電動格納ミラー１２をセット状態（通常、運転時の展開状態）または格納状態（車体側への折り畳み状態）にするために操作者によって操作され、電動格納ミラー１２をセット状態とするためのセット信号Ｓ１、または電動格納ミラー１２を格納状態とするためのクローズ信号Ｃ１を送出し得る電動格納ミラースイッチ１３と、
この電動格納ミラースイッチ１３からセット信号Ｓ１を受信したとき電動格納ミラー１２をセット状態に作動させ、電動格納ミラースイッチ１３からクローズ信号Ｃ１を受信したとき電動格納ミラー１２を格納状態に作動させる電動格納ミラーコントロールユニット１４と、
を備える自動車１０に取り付け可能な装置である。
【００１０】
この格納ミラー自動開閉装置２０は、パーキングブレーキスイッチ１１がＯＦＦとなったとき、そのＯＦＦ信号に基づいて作動し、電動格納ミラースイッチ１３に代わって電動格納ミラーコントロールユニット１４に対し電動格納ミラー１２を格納状態とするためのクローズ信号Ｃ１’を送出し、
パーキングブレーキスイッチ１１がＯＮとなったとき、そのＯＮ信号に基づいて作動し、電動格納ミラースイッチ１３に代わって電動格納ミラーコントロールユニット１４に対し電動格納ミラー１２をセット状態とするためのセット信号Ｓ１’を送出する。
【００１１】
この格納ミラー自動開閉装置２０は次のように作動する。
（１）運転者により、パーキングブレーキ(サイドブレーキ)が引かれて作動状態（制動状態）となり、パーキングブレーキスイッチ１１がＯＦＦになると、そのＯＦＦ信号に基づき、電動格納ミラー１２を格納状態とするためのクローズ信号Ｃ１’を電動格納ミラースイッチ１３に代わって電動格納ミラーコントロールユニット１４に対して送出する。
これによって、運転者が電動格納ミラースイッチ１３の操作を忘れたとしても、電動格納ミラーコントロールユニット１４の作動により電動格納ミラー１２は格納状態となる。
【００１２】
（２）一方、運転者により、パーキングブレーキが押し戻されて非作動状態（非制動状態）となり、パーキングブレーキスイッチ１１がＯＮになると、そのＯＮ信号に基づき、電動格納ミラー１２をセット状態とするためのセット信号Ｓ１’を電動格納ミラースイッチ１３に代わって電動格納ミラーコントロールユニット１４に対して送出する。
これによって、運転者が電動格納ミラースイッチ１３の操作を忘れたとしても、電動格納ミラーコントロールユニット１４の作動により電動格納ミラー１２はセット状態となる。
【００１３】
以上のように、この格納ミラー自動開閉装置２０によれば、運転者が操作忘れをしたとしても、電動格納ミラー１２の適切なセット状態および格納状態を得ることが可能となる。
しかも、仮にパーキングブレーキをかけ忘れた場合には、電動格納ミラー１２がセット状態（通常運転時の展開状態）となっていることから、これを目視することによって、パーキングブレーキのかけ忘れを車両から離れたところからでも確認することができる。
また、特に、自動車１０がトラック等の大型車両の場合、駐車時、ドアの施錠はしなくてもパーキングブレーキを引いていることが一般的である。
この格納ミラー自動開閉装置２０によると、電動格納ミラー１２を目視することによって、パーキングブレーキのかけ忘れを車両から離れたところからでも確認することができるから、この格納ミラー自動開閉装置２０は、トラック等の大型車両に採用した場合に、特に有効である。
【００１４】
自動車１０における、パーキングブレーキ、パーキングブレーキスイッチ１１、電動格納ミラー１２、電動格納ミラースイッチ１３、および電動格納ミラーコントロールユニット１４は、いずれも、公知の構成のものを採用することができる。
【００１５】
図１，図２において、２１は、パーキングブレーキスイッチ１１のＯＮ／ＯＦＦ信号の入力部であり、パーキングブレーキスイッチ１１とパーキングブレーキ警告灯１１Ｌとの間に接続される入力端子で構成されている。
【００１６】
２２は上記入力部２１の電圧の有無（パーキングブレーキスイッチ１１のＯＮ／ＯＦＦ）を判断する判断部、２３はセット信号Ｓ１’を出力するセット信号出力部、２６はクローズ信号Ｃ１’を出力するクローズ信号出力部である。
【００１７】
判断部２２は、入力部２１の電圧がＯＮ（パーキングブレーキスイッチ１１がＯＮ）のとき、セット信号出力部２３を作動させてセット信号Ｓ１’を電動格納ミラーコントロールユニット１４へ出力させ、入力部２１の電圧がＯＦＦ（パーキングブレーキスイッチ１１がＯＦＦ）のとき、クローズ信号出力部２６を作動させてクローズ信号Ｃ１’を電動格納ミラーコントロールユニット１４へ出力させる。
【００１８】
例えば図２に示すように、判断部２２はリレー（２２）で構成することができ、セット信号出力部２３は、判断部を構成するリレー２２と連動するリレー２４およびこのリレー２４と連動するリレー２５で構成することができ、クローズ信号出力部２６は判断部を構成するリレー２２と連動するリレー（２６）で構成することができる。
【００１９】
この回路は次のように作動する。
<セット時>
運転者により、パーキングブレーキが押し戻されてパーキングブレーキスイッチ１１のＯＮ信号が入力部２１に入力されると、リレー２２、２４，２５がそれぞれＯＮとなり、電動格納ミラー１２をセット状態とするためのセット信号Ｓ１’が出力される。
【００２０】
<クローズ時>
運転者により、パーキングブレーキが引かれてパーキングブレーキスイッチ１１のＯＦＦ信号が入力部２１に入力されると、リレー２２がＯＦＦ状態となり、これに連動するリレー２６がＯＮとなり、電動格納ミラー１２を格納状態とするためのクローズ信号Ｃ１’が出力される。
【００２１】
図２において、２７はセット信号Ｓ１’が送出されているとき点灯して、セット信号Ｓ１が送出状態にあることを操作者に知らせるための表示灯（ＬＥＤ（Green））、２８はクローズ信号Ｃ１’が送出されているとき点灯して、クローズ信号Ｃ１’が送出状態にあることを操作者に知らせるための表示灯（ＬＥＤ（Ｒｅｄ））である。
【００２２】
以上、本発明の実施の形態について説明したが、本発明は上記の実施の形態に限定されるものではなく、本発明の要旨の範囲内において適宜変形実施可能である。
【符号の説明】
【００２３】
１１：    パーキングブレーキスイッチ
１２：    電動格納ミラ
１３：    電動格納ミラースイッチ
１４：    電動格納ミラーコントロールユニット
２０：    格納ミラー自動開閉装置
Ｓ１，Ｓ１’：セット信号
Ｃ１，Ｃ１’：クローズ信号
【図１】
0005886888.tif 000002
【図２】
0005886888.tif 000003
【図３】
0005886888.tif 000004